(57)【要約】【課題】赤目の発生あるいはさらに赤目補正結果の確認を適正に行うことができるデジタルカメラを提供する。【解決手段】画像を光電的に撮影する撮影手段と、ディスプレイと、撮影手段が撮影した画像から赤目を検出して赤目位置情報を生成し、あるいはさらに、検出した赤目の補正を行う赤目処理手段と、赤目処理手段による赤目位置情報に応じて、ディスプレイに、撮影手段が撮影した画像の赤目を含む領域を拡大表示する赤目制御手段とを有することにより、前記課題を解決する。【選択図】図１
2004350130.tif 000002
【特許請求の範囲】
【請求項１】
画像を光電的に撮影する撮影手段と、
ディスプレイと、
前記撮影手段が撮影した画像から赤目を検出して赤目位置情報を生成し、あるいはさらに、検出した赤目の補正を行う赤目処理手段と、
前記赤目処理手段による赤目位置情報に応じて、前記ディスプレイに、前記撮影手段が撮影した画像の赤目を含む領域を拡大表示する赤目制御手段とを有することを特徴とするデジタルカメラ。
【請求項２】
複数の赤目を検出した際には、順次、前記赤目を含む領域を拡大表示する請求項１に記載のデジタルカメラ。
【請求項３】
前記撮影手段が撮影した画像を所定の記録手段に記録すると共に、
前記赤目処理手段による赤目位置情報、前記赤目処理手段が実施した赤目補正に関連する赤目補正情報、および、前記赤目処理手段が処理に要した処理時間の情報の少なくとも１つを、赤目関連情報として該当する画像に対応付けして前記記録手段に記録する請求項１または２に記載のデジタルカメラ。
【請求項４】
前記画像の赤目を含む領域の拡大表示を用いて、前記赤目処理手段による赤目処理の誤検出を指示する指示手段を有し、
さらに、前記指示手段によって誤検出を指示された位置に関しては、その旨の情報を前記赤目関連情報として記録する請求項３に記載のデジタルカメラ。
【請求項５】
前記赤目関連情報として前記処理時間の情報を記録しておき、
前記記録手段の記録容量残が所定量以下になったら、前記処理時間の短い画像から順に、赤目関連情報の少なくとも１つを削除する請求項３または４に記載のデジタルカメラ。
【発明の詳細な説明】
【０００１】
【発明の属する技術分野】
本発明は、デジタルカメラの技術分野に属し、詳しくは、ストロボ撮影によって赤目が発生した際に、赤目を検出して、適正に確認することを可能にするデジタルカメラに関する。
【０００２】
【従来の技術】
パーソナルコンピュータ（ＰＣ）やＰＤＡ（Ｐｅｒｓｏｎａｌ  Ｄｉｇｉｔａｌ  Ａｓｓｉｓｔａｎｔ）等の普及に伴い、デジタルスチルカメラ（以下、デジタルカメラとする）の普及率が拡大している。さらに、近年では、いわゆるデジタルミニラボ（例えば、富士写真フイルム社製のフロンティアなど）によって、デジタルカメラで撮影した画像を写真プリントとして出力するサービスも行われている。
デジタルカメラであっても、通常のフィルムを用いるカメラと同様、ポートレート等の人物を含む画像においては、画質を左右する最も重要な要素は人物の仕上りであり、撮影時のストロボ発光の影響によって、人物の目（瞳）が赤になる赤目現象は重大な問題となる。
【０００３】
デジタルカメラ等で撮影された画像は、画像データの処理によって赤目の修正を行うことが可能である。これを利用して、赤目補正機能を有するデジタルカメラが各種提案されている。
例えば、特許文献１には、ストロボ発光撮影と非ストロボ発光撮影とを連続的に行い、両者を比較することにより赤目を検出して、ストロボ発光撮影による画像データを修正して赤目を補正することにより、従来より赤目軽減のために行われるストロボのプレ発光を不要として、電池の消耗および被写体に与える幻惑感を防止したデジタルカメラ（電子カメラ）が開示されている。
【０００４】
また、特許文献２には、赤目部分を修正する修正手段と、修正手段によって修正された画像である旨の信号を画像に関連して記録する記録手段とを有し、あるいはさらに赤目が発生し得る撮影条件を検知する検知手段を有し、修正された旨の信号が付された画像、および、検知手段によって赤目が発生し得る撮影であることが検知された画像を除いた画像のみに、前記修正手段によって赤目部分の修正を施すことにより、不要な修正動作を回避した赤目修正機能付きデジタルカメラ（カメラシステム）が開示されている。
【０００５】
さらに、特許文献３には、デジタルカメラ等で撮影された画像（画像データ）を処理する画像処理装置において、オペレータによる赤目位置等の指示に応じての赤目補正を行うと共に、原画像の画像ファイルに、赤目補正の要／不要、赤目補正を行った赤目の中心位置、赤目補正前後の色情報、赤目補正データ数（画素数）等の赤目情報を付加することにより、以降の焼き増し印刷等において、赤目補正処理に伴う煩雑な設定等を不要にした画像処理装置が開示されている。
【０００６】
【特許文献１】
特許第３１１４１０３号公報
【特許文献２】
特開平１１−１２７３７１号公報
【特許文献３】
特開平１１−２１５３５８号公報
【０００７】
【発明が解決しようとする課題】
ところで、このような赤目補正は、必ずしも適正に行われるわけではなく、不適正な赤目補正が行われてしまう場合もある。特に、特許文献１や特許文献２に示されるような、全自動の赤目補正では、発生しているにも関わらず赤目を検出できずに補正を行わない、人物等の目以外を赤目として検出してしまうなどの赤目の誤検出や、色味等の点で不適正な赤目補正が行われてしまう場合も多い。
【０００８】
殆どのデジタルカメラは、液晶ディスプレイ等のモニタを有しており、撮影した画像や赤目補正した画像を、その場で観察することができる。
しかしながら、赤目は人物の顔の極一部で起こる現象であり、しかも、デジタルカメラのモニタは、サイズおよび解像度の何れの点でも赤目発生の検出や補正結果の確認には不十分である。すなわち、従来のデジタルカメラでは、赤目が発生したか、発生した赤目が適正に補正されたかを適正に確認することは非常に困難であった。
【０００９】
本発明の目的は、前記従来技術の問題点を解決することにあり、デジタルカメラにおいて、赤目の発生あるいはさらに赤目補正結果の確認を適正に行うことができ、さらに、デジタルカメラで撮影した赤目が発生している画像を、赤目を補正してプリント等として出力する際に、デジタルフォトプリンタ等の負担を大幅に低減することができるデジタルカメラを提供することにある。
【００１０】
【課題を解決するための手段】
前記課題を解決するために、本発明は、画像を光電的に撮影する撮影手段と、ディスプレイと、前記撮影手段が撮影した画像から赤目を検出して赤目位置情報を生成し、あるいはさらに、検出した赤目の補正を行う赤目処理手段と、前記赤目処理手段による赤目位置情報に応じて、前記ディスプレイに、前記撮影手段が撮影した画像の赤目を含む領域を拡大表示する赤目制御手段とを有することを特徴とするデジタルカメラを提供する。
【００１１】
このような本発明のデジタルカメラにおいて、複数の赤目を検出した際には、順次、前記赤目を含む領域を拡大表示するのが好ましく、また、前記撮影手段が撮影した画像を所定の記録手段に記録すると共に、前記赤目処理手段による赤目位置情報、前記赤目処理手段が実施した赤目補正に関連する赤目補正情報、および、前記赤目処理手段が処理に要した処理時間の情報の少なくとも１つを、赤目関連情報として該当する画像に対応付けして前記記録手段に記録するのが好ましく、また、前記画像の赤目を含む領域の拡大表示を用いて、前記赤目処理手段による赤目処理の誤検出を指示する指示手段を有し、さらに、前記指示手段によって誤検出を指示された位置に関しては、その旨の情報を前記赤目関連情報として記録するのが好ましく、さらに、前記赤目関連情報として前記処理時間の情報を記録しておき、前記記録手段の記録容量残が所定量以下になったら、前記処理時間の短い画像から順に赤目関連情報の少なくとも１つを削除するのが好ましい。
【００１２】
【発明の実施の形態】
以下、本発明のデジタルカメラについて、添付の図面に示される好適実施例を基に詳細に説明する。
【００１３】
図１に、本発明のデジタルカメラの一例の概念図を示す。
図１に示すデジタルカメラ１０（以下、カメラ１０とする）は、基本的に、光学系１２、ストロボ１４、信号処理部１６、制御部１８、ディスプレイ２０、スイッチ群２２、記録部２４、圧縮手段２６、赤目処理手段２８、および、赤目制御手段３０を有して構成される。なお、図中符号３２はＤＲＡＭなどの記憶手段であり、符号３４はシステムバスである。
【００１４】
このようなカメラ１０は、赤目処理手段２８よび赤目制御手段３０を有する以外は、基本的に、公知のデジタルカメラである。従って、カメラ１０には、図示した以外にも、露出決定用の測光手段、録音用のマイク、パーソナルコンピュータ（ＰＣ）などの外部機器と接続するためのインターフェース（Ｉ／Ｆ）やコネクタ、ズーム機構、機械的なシャッタや絞り、ファインダ、各種機械要素の駆動手段、動作状態や警告等を知らせるためのランプ、操作選択／指示のための液晶表示パネル等、通常のデジタルカメラが有する各種の構成要素、ならびに、これらを動作および制御する手段を有してもよいのは、もちろんである。
【００１５】
光学系１２は、通常のデジタルカメラの撮影光学系で、（結像）レンズ４０および（エリア）ＣＣＤセンサ４２を有して構成される。また、ストロボ１４も通常のデジタルカメラに搭載されるストロボである。
信号処理部１６は、ＣＣＤセンサ４２から出力された撮影画像の信号を処理して、撮影画像の画像データとするものである。信号処理部１６は、一例として、ＣＣＤセンサ４２からの出力信号に、Ａ／Ｄ変換、シェーディング補正、暗電流補正、ノイズ除去、ｌｏｇ変換等を施して、撮影画像の画像データとする。
【００１６】
制御部１８は、カメラ１０全体を制御するものであり、ＣＰＵ等を用いて構成される。
ディスプレイ２０は、撮影画像の表示やＧＵＩ（Ｇｒａｐｈｉｃａｌ  Ｕｓｅｒ  Ｉｎｔｅｒｆａｃｅ）による各種の操作のための表示を行うもので、例えば通常のデジタルカメラに搭載される液晶ディスプレイである。
スイッチ群２２は、ユーザがカメラ１０を操作するための各種のスイッチである。一例として、シャッタボタン、ストロボスイッチ、ズームスイッチ、ポートレート撮影や風景撮影などの各種の撮影モードを選択するためのモード選択ダイアル、表示切替ボタン、各種の選択を行うための十字ボタンや矢印ボタン等が例示される。カメラ１０においては、これらの各スイッチ、スイッチとディスプレイ２０（および／または前記液晶表示パネル）による表示を用いたＧＵＩによって、後述する赤目処理ＯＫ、赤目処理のキャンセル、追加処理の指示などの赤目処理関連の各操作も含めて、各種の操作を行う。
【００１７】
記録部２４は、撮影した画像データをメディア（記録媒体）に記録するものであり、メディアを装填するスロット４６と、スロット４６を接続するためのカードＩ／Ｆ４８とを有して構成される。図示例のカメラ１０においては一例として、スロット４６に装填されたメディアに、Ｅｘｉｆ形式の画像ファイル形式（画像ファイルフォーマット）で画像データ等を記録する。本発明において、利用可能なメディアには、特に限定はなく、ｘＤ−ピクチャーカードＴＭ、スマートメディアＴＭ、ＰＣカード、コンパクトフラッシュＴＭ等、デジタルカメラで利用されているメディアが各種利用可能である。
圧縮手段２６は、メディア等に画像データを記録するために、撮影した画像の画像データを圧縮して、ＪＰＥＧ（Ｊｏｉｎｔ  Ｐｈｏｔｏｇｒａｐｈｉｃ  Ｅｘｐｅｒｔ  Ｇｒｏｕｐ）形式の圧縮画像データにする。
【００１８】
赤目処理手段２８は、カメラ１０が撮影した画像に画像解析による赤目の検出を行って赤目位置情報を生成し、さらに、検出した赤目の補正を行うものである（以下、赤目検出および赤目補正をまとめて、赤目処理とする）。なお、本発明にかかるカメラ１０においては、赤目処理手段２８および後述する赤目制御手段３０は、前記制御部１８とは独立した専用の演算手段（Ｐｒｏｃｅｓｓｉｎｇ  Ｕｎｉｔ）を有するのが好ましい。
また、カメラ１０においては、赤目処理手段２８による自動的な赤目処理が失敗した場合等に対応して、ユーザによる入力指示（マニュアルでの指示）に応じた赤目検出や赤目補正を行えるようになっている。
【００１９】
なお、図示例においては、好ましい態様として、赤目処理手段２８は、赤目の検出に加え、検出した赤目の補正を行うが、本発明のカメラ１０は、これに限定はされず、赤目の検出のみを行うものでもよい。
【００２０】
赤目処理手段２８における赤目処理（赤目検出および補正）方法には、特に限定はなく、公知の方法が、各種、利用可能である。
一例として、画像データから、画像中の赤目を画像解析によって自動検出（赤目検出）して、さらに、その修正（赤目修正）を画像処理によって自動的に行う、全自動の赤目補正処理方法が例示される。
【００２１】
赤目検出の方法には、特に限定はなく、公知の方法が各種利用可能であり、一例として、顔抽出を行い、抽出した顔から赤目を検出する方法が例示される。
顔抽出は、公知の方法で行えばよく、例えば、エッジ検出や形状パターン検出による顔検出方法；  色相抽出や肌色抽出による顔検出方法；  候補領域を抽出して、この候補領域を小領域に分割して、各領域毎の特徴量を予め設定した顔領域パターンと照合して、その確度から顔領域を抽出する方法（特開２０００−１３７７８８号公報参照）；  顔候補領域を抽出して、各候補領域の重複度から確度を評価して顔領域を抽出する方法（特開２０００−１４９０１８号公報参照）；  顔候補領域を抽出して、各候補領域の濃度が所定の閾値に対応する値である場合に、胴体候補領域を抽出し、顔および胴体候補領域の濃度や彩度コントラストを用いて確度を評価して、顔領域を抽出する方法（特開２０００−１４８９８０号公報参照）；  等が例示される。
【００２２】
抽出した顔領域から赤目を検出する方法も、公知の方法で行えばよい。
例えば、エッジ検出、形状パターン検出、位置情報、色相情報等を用いた瞳抽出を行って、色相等から赤目を検出する方法；  エッジ検出、形状パターン検出、位置情報等を用いて目を抽出し、この目の画像データの輝度ヒストグラムから低輝度領域を抽出し、抽出した低輝度領域を収縮処理して瞳の領域を抽出し、色相等から赤目を検出する方法；  顔候補領域をｘｙ平面として各画素毎に色相等を用いた画像特徴量ｚを求め、ｘｙｚの三次元空間を設定してｚ値の山状分布からｘｙ平面を分割して、分割領域毎に形状情報や統計的画像特徴量等から赤目を検出する方法（特開２０００−７６４２７号公報参照）；  等が例示される。
【００２３】
また、検出した赤目の補正方法にも限定はなく、公知の方法で行えばよい。
例えば、検出した赤目の色変換や彩度低下によって赤目を修正する方法；  検出した赤目領域で最小明度の画素に近づけるように、他の全画素の彩度や明度を補正する方法（特開２０００−７６４２７号公報参照）；  等が例示される。
【００２４】
赤目制御手段３０は、ＤＲＡＭ等の記憶手段３０ａを有するものであり、赤目処理部２８が生成した赤目位置情報に応じて、対応する画像中における赤目が存在する領域をディスプレイ２０に拡大表示させる。
また、赤目制御手段３０は、赤目処理手段２８が生成した赤目位置情報、赤目処理部２８が赤目処理に要した時間の情報である（赤目）処理時間情報、赤目処理部２８による赤目補正後の画像に関連する赤目補正情報、および、後述する赤目処理部２８による赤目検出が不適正でキャンセルされた（取り消された）場合のキャンセル情報等の赤目関連情報等を、該当する画像データに対応付けしてスロット４６に装着されたメディアの画像ファイルに追加記録させる。
【００２５】
以下、図２のフローチャートを参照してカメラ１０の作用を説明することにより、赤目処理手段２８および赤目制御手段３０、ならびに、本発明のデジタルカメラについて、より詳細に説明する。
【００２６】
ユーザが被写体を撮影すると、ＣＣＤセンサ４２からの出力信号を信号処理部１６が処理して撮影画像の画像データとし、この画像データを記憶手段３２に記憶する。次いで、圧縮手段２６が、この画像データをＪＰＥＧ圧縮して、圧縮画像データ、および、ストロボ撮影の有無等の所定の情報を、スロット４６に装填されたメディア内のＥｘｉｆ形式の画像ファイルの所定領域に記憶させる。
ここで、人物を撮影した際には、後述する赤目処理の精度を向上するために、撮影時に、被写体の人数（Ｎ）を設定して、画像データに対応付けして記録するのが好ましい。なお、この人数Ｎは、ユーザが入力してもよく、適宜設定したデフォルト値を入力してもよく、赤目処理における顔抽出の精度が高い場合には、抽出した顔の数に応じて自動設定してもよい。
【００２７】
撮影を行った後、ユーザが赤目処理実施の指示（赤目処理指示）を出すと、赤目処理手段２８は、赤目処理を開始する。
なお、赤目処理を行う画像は、直前に撮影した画像であってもよく、あるいは、ユーザによって指示された画像であってもよい。また、ユーザが赤目処理を行う画像を指示する場合には、複数の画像を一度に指示可能にしてもよい。あるいは、ストロボ撮影された画像には、自動的に赤目処理を行うようにしてもよい。さらに、ストロボ撮影では無い画像に対して赤目処理指示が出された場合には、その旨の警告を発するようにしてもよい。
【００２８】
赤目処理手段２８は、記憶手段３２から、赤目処理を行う画像の画像データを読み出し、前述のようにして赤目検出（顔検出）を行って赤目位置情報を生成し、さらに、赤目補正を行う。なお、記憶手段３２に画像データが残っていない場合には、スロット４６に装着されたメディアから圧縮画像データを読み出して、解凍すればよく、あるいは、常にメディアから画像データを読み出すようにしてもよい。また、赤目処理を行うのは、人物に限定はされず、猫などの動物に対しても赤目処理を行ってもよい。
ここで、前述のように被写体の人数Ｎが設定されている場合には、これを利用して赤目検出を行うのが好ましく、これにより、赤目検出の演算量の低減や、赤目の誤検出の防止等を図ることができる。
【００２９】
赤目処理手段２８は、各画像毎に、赤目位置情報、赤目補正を施した画像データ（以下、補正画像データとする）、赤目処理に要した時間（赤目検出（顔検出時間を含む）＋赤目補正）を赤目制御手段３０に送る。
【００３０】
赤目制御手段３０は、補正画像データを記憶手段３０ａに記憶すると共に、赤目処理を施した各画像毎に、供給された赤目位置情報、赤目処理に要した時間の情報（処理時間情報）、および、補正画像データに関連する赤目補正情報を、赤目関連情報として、対応する画像に対応付けして前記スロット４６に装填されたメディアの画像ファイルの所定位置に追加記録させる。
従って、本発明によれば、カメラ１０で撮影した画像の赤目処理を、デジタルフォトプリンタやＰＣ等の他の装置で行う場合や、この画像ファイルの画像に対してカメラ１０で再度赤目処理を行う場合等に、赤目処理にかかる負担を大幅に低減することができ、例えば、デジタルフォトプリンタの生産性の向上等を図ることができる。
【００３１】
赤目補正情報としては、補正画像データ、補正前の画像データと補正画像データとの差分データ、赤目を補正した画像（補正画像データ）から切り出した赤目を含む領域の画像データおよびその位置情報、補正後の赤目の色／濃度データ等の１以上が例示される。
また、画像ファイル中における赤目関連情報の記録位置には、特に限定はなく、画像ファイル形式に応じて、適宜、決定すればよい。一例として、図示例のようなＪＰＥＧ圧縮データを記録するＥｘｉｆ形式の画像ファイルであれば、例えば、アプリケーションマーカセグメント３（ＡＰＰ３）以降の使用していないＡＰＰｎマーカに赤目関連情報を記録すればよい。
【００３２】
なお、本例においては、赤目関連情報として、赤目位置情報、処理時間情報、および赤目補正情報、さらに、後述する誤検出関連の情報の４つの情報を画像ファイルに追加記録しているが、本発明は、これに限定はされず、記録する情報は１つでも、適宜選択された２もしくは３つの情報でもよく、あるいは、これ以外の情報を赤目関連情報として記録してもよい。
但し、一般的な赤目処理では、赤目の検出に最も時間がかかり、また、不適正な赤目処理の主たる原因は赤目の誤検出であるので、他の装置での赤目処理の負担を低減するために、少なくとも、赤目位置情報は記録するのが好ましく、あるいはさらに誤検出情報も記録するのが好ましい。
また、赤目関連情報として補正画像データを記録する場合には、メディアからオリジナル（赤目補正前）の画像データを削除して、オリジナルの画像データを記録すべき位置に補正画像データを記録するようにしてもよい。但し、一般的な画像データの取り扱いでは、適正な処理を行うためには、オリジナルの画像データが存在する方が好ましい場合が多いので、本発明のカメラ１０では、基本的に、オリジナルの画像データは削除せず、残すのが好ましい。
【００３３】
ここで、スロット４６に装填されるメディアの記録容量残が少なくなった場合には、メディアに記録した各画像の処理時間情報を参照して、処理時間が少ない画像から、赤目関連情報の少なくとも１つを削除するのが好ましい。これにより、赤目処理に時間のかかる画像に関しては赤目関連情報を残すことができ、再度本発明のカメラ１０で赤目処理を行う際や、他の画像処理装置やデジタルフォトプリンタ等で本発明のカメラ１０で撮影した画像の赤目処理を行う際に、処理にかかる負担を低減することができる。特に、赤目補正情報としてデータ量が多い補正画像データを残す場合には、この方法は有効である。
赤目関連情報は、全てを削除してもよく、予め決定された情報のみを削除してもよく、削除する赤目関連情報を選択できるようにしてもよく、これらの処理を選択できるようにしてもよい。但し、また、通常の赤目処理では、赤目の検出に最も時間がかかるので、以降に行う他の装置等での赤目処理の負担を低減するために、赤目位置情報は残すようにするのが好ましい。
【００３４】
他方、ユーザによって、画像表示指示が出されると、赤目制御部３０は、指示された画像が赤目処理を行った画像の場合には、補正画像データを記憶手段３０ａから読み出して、図３（Ａ）に示すように、画像（以下、拡大画像と区別するために、便宜的に全体画像とする）をディスプレイ２０に表示すると共に、前述の赤目位置情報を用いて、この画像の赤目を含む領域（例えば、点線部分）の拡大画像を生成する。また、後述する人数確認を行うためにｊ＝０を設定する。
【００３５】
なお、表示を指示された画像が赤目処理を行っていない画像である場合には、通常の画像表示を行えばよい。
また、表示を指示された画像が、赤目処理を行ったが、既に記憶手段３０ａから削除されている場合には、メディアから画像データを読み出して、赤目関連情報を用いて補正画像データを生成すればよい。
さらに、表示を指示された画像が、赤目処理を行ったが、赤目が検出されなかった場合には、その旨を表示してもよい。
【００３６】
拡大画像の生成は、撮影画素数等に応じて、公知の方法で行えばよい。
ディスプレイ２０上における拡大画像のサイズには、特に限定はなく、ディスプレイ２０のサイズに応じて、適宜、決定すればよく、さらに、固定サイズであっても、赤目補正を行った人物の顔の大きさ等に応じて、拡大画像のサイズを、適宜、変更するようにしてもよい。また、拡大画像のサイズをユーザが選択できるようにしてもよい。
【００３７】
次いで、ユーザによって拡大画像の表示指示が出されると、人数Ｎとｊとを比較して、「Ｎ＞ｊ」がＹｅｓの場合、すなわち画像に写っている人数分の赤目の拡大画像の表示が終了していない場合には、赤目制御手段３０は、図３（Ｂ）に示すように、ディスプレイ２０に拡大画像を表示する（拡大表示）。
なお、拡大画像は、ディスプレイ２０の全面に表示するのに限定はされず、全体画像に並べて表示してもよく、画面よりも小さな拡大画像を全体画像に重ねて表示してもよく、全体画像と拡大画像とを所定タイミングで交互に表示してもよい。さらに、拡大画像の位置は、ユーザによる入力等に応じて移動可能にしてもよく、あるいは、赤目の確認と無関係の位置に拡大画像を自動的に表示もしくは移動するようにしてもよい。
【００３８】
ここで、ディスプレイ２０の画像表示において、拡大画像あるいはさらに全体画像は、赤目補正部分（検出した赤目）を確認し易くするのが好ましい。
一例として、赤目補正部分を矢印で指してもよく、赤目補正部分の近傍に☆や□などのマークを付けてもよく、赤目補正部分を枠で囲んでもよく、補正部分を線でトレースして、赤目補正部分を確認し易くする方法が例示される。
【００３９】
なお、本発明において、画像の表示はこれに限定はされず、全体表示を行わずに、赤目の拡大表示のみを行うものであってもよい。
また、赤目補正を行わない場合には、補正を行わない画像の赤目領域を拡大表示（あるいはさらに全体画像）すればよいのはもちろんであり、赤目補正を行った場合であっても、補正前の画像のみを拡大表示するようにしてもよい。さらに、赤目補正前後の拡大画像（同前）を、並べてもしくは順次もしくは交互に表示するようにしてもよい。
【００４０】
ディスプレイ２０が拡大画像を表示すると、ユーザによって、赤目処理の適正／不適正が判定される。
赤目処理が適正（Ｙｅｓ）であれば、ユーザがその旨を入力し、ｊに１を加算して、先と同様にして「Ｎ＞ｊ」の確認を行い、この画像の他の人物の赤目の拡大画像を表示する。あるいは、拡大画像表示後、所定時間を経過しても何の入力が無い場合には、赤目処理が適正であると判定して、自動的に、この画像の他の人物の赤目の拡大画像を表示してもよい。
【００４１】
他方、赤目処理が不適正（Ｎｏ）の場合には、カメラ１０は、ユーザによる指示入力に応じた処理を行う。
ここで、不適正な赤目処理の殆どは、赤目の誤検出、すなわち人物（動物）の目以外の位置を赤目として検出して赤目補正すなわち黒くしてしまった場合（以下、エラーＡとする）と、赤目であるにも関わらず赤目として検出しなかった場合（以下、エラーＢとする）に起因する。
【００４２】
オペレータが、ディスプレイ２０に表示した拡大画像を用いて不適正な赤目処理の位置を指示し、また、赤目処理が不適正である旨の指示を入力する。
【００４３】
カメラ１０では、自身が赤目補正を施した位置は分かっているので、赤目補正を施した位置に不適正である旨の指示が入力された場合には、エラーＡであることが知見できる。
赤目制御手段３０は、この指示に応じて、この位置の赤目検出を取り消し、さらに、拡大画像あるいは更に全体画像、および記憶手段３０ａに記憶している画像データにおける、対応する位置の画像データをオリジナル（赤目補正前）の画像データに戻す（赤目処理をキャンセル（解除）する）。また、赤目補正情報として補正画像データをメディアに記録した場合には、この画像の対応位置の画像もオリジナルに戻す。
【００４４】
さらに、赤目制御手段３０は、好ましくは、この赤目検出位置の赤目処理が誤検出でキャンセルされた旨のキャンセル情報を、赤目関連情報として画像ファイル（メディア）の所定位置に記録する。これにより、カメラ１０で再度赤目処理を行った場合や、他の装置等でこの画像に対して赤目処理を施す際に、この位置を赤目検出対象から外す、赤目検出しても赤目補正を行わない等の対応を取る事ができ、従って、赤目処理の負担を低減することができる。
キャンセル情報は、キャンセルされた旨の情報と、誤検出した（キャンセルされた）赤目の中心位置の情報、同赤目の数画素の情報、同赤目を囲むエリアの情報等から適宜選択された情報とから構成すればよい。
【００４５】
他方、ディスプレイ２０に表示した拡大画像において、例えば、一方の目は赤目補正が施されているのに、他方が赤目のままの場合等であれば、ユーザが、同様に赤目の位置および不適正である旨の指示入力する。このように、赤目補正を施していない位置に不適正である旨の指示が入力された場合には、カメラ１０は、エラーＢであることが知見できる。
赤目処理手段２８は、この指示に応じて、指示された位置近傍で、再度、赤目検出を行い、赤目補正を行し、拡大表示する。あるいは、ユーザが拡大画像を用いて赤目領域を切り出して、それに応じて赤目検出／補正／拡大表示を行うようにしてもよく、ユーザが赤目を切り出して、赤目補正／拡大表示を行うようにしてもよい。これらを選択可能にしてもよい。また、ユーザによる適正の入力があれば、この処理を終了し、不適正の入力があれば、リトライする。
【００４６】
さらに、赤目制御手段３０は、追加された赤目検出および赤目補正に応じた赤目関連情報を、画像ファイルの所定位置に追加記録する。また、前記エラーＡと同様の理由で、この赤目処理が誤検出による追加処理である旨の情報も、赤目関連情報に追加するのが好ましい。
【００４７】
なお、エラーＢは、拡大画像内で発生していなければ、発生を検出できない場合も多い。
これに対応して、赤目処理のための顔抽出の精度が高い場合には、ストロボ撮影でも赤目が発生していない場合に、顔抽出を行い、顔の拡大画像をディスプレイ２０に表示して、エラーＢの発生を検出できるようにしてもよい。
【００４８】
ここで、エラーＡの方がエラーＢよりも検出が容易であり、さらに、エラーＡに対応する赤目処理のキャンセルの方が、エラーＢに対応する赤目の追加処理よりも、処理や演算が容易である。
従って、本発明のカメラ１０においては、赤目検出アルゴリズムにおける赤目検出の閾値を調整可能にして、意図的に、エラーＢよりエラーＡの方が発生し易くするように出来るのが好ましい。また、この際には、調整した閾値に応じて、赤目の位置情報のみを取得して、赤目補正などの赤目としての処理を行わないようにしてもよい。
【００４９】
なお、検出が適正で、赤目補正が不適正で有る場合は、極めて稀で有るので、以上の例では、このケースを赤目処理が不適正な場合として例示はしなかった。しかしながら、本発明においては、赤目補正が不適正であった場合に、赤目補正のやり直しを指示／実行できるようにしてもよいのは、もちろんである。
また、赤目では無い人物（動物）の目を赤目と検出して、赤目補正を行った場合には、画質的に問題は生じない場合が多い。従って、本例においては、この場合には、赤目補正をキャンセルせずに何の処理も行わない（キャンセル可能にしてもよいのは、もちろんである）。但し、他の装置での負担を低減するために、赤目の誤検出を行った旨の情報は、赤目関連情報に追記するのが好ましい。
【００５０】
このようにして、赤目処理が不適正であった場合の処理が終了すると、前述の赤目処理が適正であった場合と同様、ｊに１を加算して、「Ｎ＞ｊ」の確認を行い、この画像の他の人物の赤目の拡大画像を表示する。
あるいは、ユーザによる次の拡大画像表示の指示に応じて、この画像の他の人物の赤目の拡大画像を表示してもよい。
【００５１】
以上のルーチンを繰り返し行い、「Ｎ＞ｊ」では無くなると、この画像に対する赤目処理の確認作業が終了し、例えば入力指示等に応じて、他の画像に対する処理を開始する。
【００５２】
以上の説明より明らかなように、本発明によれば、デジタルカメラにおいて、自動的に赤目検出あるいはさらに赤目補正を行い、赤目の拡大画像を表示するので、デジタルカメラであっても、赤目の発生や赤目補正結果の確認を適正に行うことができる。
また、拡大画像を用いて確認した上、赤目に関連する各種の正確な情報を画像ファイルに追加出来るので、例えば、本発明のデジタルカメラで撮影した画像の赤目補正をデジタルフォトプリンタ等で行う場合にも、その負担を大幅に低減できる。
【００５３】
なお、このような本発明の技術思想は、赤目処理以外にも、各種の画像処理に利用可能である。
例えば、デジタルカメラにおいて、歪曲収差等に起因する画像の周辺部の歪みの補正（収差補正）を行う場合において、直線として撮影されるはずの物体を検出して位置情報を生成して、画像データに情報を付加し、収差補正を行った後に、位置情報に応じて拡大表示を行うことにより、収差補正の適正／不適正の確認を好適に行うことができる。
【００５４】
以上、本発明のデジタルカメラについて詳細に説明したが、本発明は上記実施例に限定はされず、本発明の要旨を逸脱しない範囲において、各種の改良および変更を行ってもよいのはもちろんである。
【００５５】
例えば、以上の例では、カメラ１０が通常有する、撮影画像の確認等を行うためのディスプレイに拡大画像や全体画像を表示しているが、本発明はこれに限定はされず、例えば、赤目確認専用のディスプレイを設けてもよい。また、携帯電話等にリンクして、そのディスプレイを利用して拡大画像や全体画像の表示を行ってもよい。
また、図２に示されるフローチャートの操作は、どの位置でも強制終了可能であり、さらに、初期モードを含む所望の位置に移行できるようにしてもよい。
また、以上の例では、拡大画像の表示を赤目処理の順番に行ったが、本発明は、これに限定はされず、例えば、赤目処理の時間が短いものから、順次、処理を行うようにしてもよい。
さらに、以上の例では、スロット４６に装着したメディアに画像データや赤目関連情報等を記録したが、記憶手段３２や記憶手段３０ａを用いて、同様の操作を行ってもよい。
【００５６】
【発明の効果】
以上、詳細に説明したように、本発明によれば、デジタルカメラにおいて、赤目の発生あるいはさらに赤目補正結果の確認を適正に行うことができ、さらに、デジタルカメラで撮影した赤目が発生している画像を、赤目を補正してプリント等として出力する際に、デジタルフォトプリンタ等の負担を、大幅に低減することができる。
【図面の簡単な説明】
【図１】本発明のデジタルカメラの一例のブロック図である。
【図２】図１に示されるデジタルカメラの作用を説明するためのフローチャートである。
【図３】（Ａ）および（Ｂ）は、図１に示されるデジタルカメラの作用を説明するための概念図である。
【符号の説明】
１０  （デジタル）カメラ
１２  光学系
１４  ストロボ
１６  信号処理部
１８  制御部
２０  ディスプレイ
２２  スイッチ群
２４  記録部
２６  圧縮手段
２８  赤目処理手段
３０  赤目制御手段
３２  記憶手段
３４  システムバス
４０  レンズ
４２  ＣＣＤセンサ
４６  スロット
４８  カードＩ／Ｆ
【図１】
2004350130.tif 000003
【図２】
2004350130.tif 000004
【図３】
2004350130.tif 000005